(57)【要約】      （修正有）【課題】任意の商品容器での使用に適用可能な化学発光ラベルを提供する。【解決手段】外層と、外層に近接して配置されている接着層であって、接着層が、外層に近接していない側に接着材料１０４を含む接着層と、外層と接着層との間に少なくとも１つの空洞１０３とを備える。外層は、さらに、第１の複数の領域によるイメージを含む。接着層は、第１の複数の領域に対応し、複数種類の圧力値において壊れるように構成されている第２の複数の領域を備える。第２の複数の領域の少なくとも１つに圧力を印加することにより、第１の複数の領域の少なくとも１つにおいて、少なくとも１つの色を含むイルミネーションが形成される。【選択図】図１Ａ
2017037293.tif 000002
【特許請求の範囲】
【請求項１】
外層であって、前記外層が、第１の複数の領域によるイメージを含む外層と、
前記外層に近接して配置されている接着層であって、前記接着層が、前記外層に近接していない側に接着材料を含む、接着層と、
前記外層と前記接着層との間に少なくとも１つの空洞とを備え、
前記接着層が、前記第１の複数の領域に対応し、複数種類の圧力値において壊れるように構成されている第２の複数の領域を備え、
前記第２の複数の領域の少なくとも１つに圧力を印加することにより、前記第１の複数の領域の少なくとも１つにおいて、少なくとも１つの色を含むイルミネーションが形成される、
商品包装ラベル。
【請求項２】
複数の化学発光材料粒子と、
活性材料とをさらに備え、
前記圧力の印加により、前記活性材料が、前記複数の化学発光粒子の少なくとも１つと反応して、前記イルミネーションを形成する、請求項１に記載の商品包装ラベル。
【請求項３】
前記複数の化学発光材料粒子が、前記少なくとも１つの空洞に配置されており、前記活性材料が、前記接着層の前記接着材料を含む側に配置されている、請求項２に記載の商品包装ラベル。
【請求項４】
外層であって、前記外層が、第１の複数の領域によるイメージを含む外層と、
前記外層に近接して配置されている接着層であって、前記接着層が、前記外層に近接していない側に接着材料を含む、接着層と、
前記外層と前記接着層との間に少なくとも１つの空洞と、
前記少なくとも１つの空洞内に配置されており、複数種類の圧力値において壊れるように構成されている複数のマイクロカプセルとを備え、
前記複数のマイクロカプセルの少なくとも１つに圧力を印加することにより、前記第１の複数の領域の少なくとも１つにおいて、少なくとも１つの色を含むイルミネーションが形成される、
商品包装ラベル。
【請求項５】
前記複数のマイクロカプセル内に配置されている複数の化学発光材料粒子と、
前記接着層に配置されている活性材料とをさらに備え、
前記圧力の印加により、前記活性材料が、前記複数の化学発光粒子の少なくとも１つと反応して、前記イルミネーションを形成する、請求項１に記載の商品包装ラベル。
【請求項６】
商品包装容器であって、
化学発光ラベルであって、前記化学発光ラベルが、
外層であって、前記外層が、第１の複数の領域によるイメージを含む外層と、
前記外層に近接して配置されている接着層であって、前記接着層が、
前記外層に近接していない側に接着材料、および
前記第１の複数の領域に対応し、複数種類の圧力値において壊れるように構成されている第２の複数の領域を備える接着層と、
前記外層と前記接着層との間に少なくとも１つの空洞とを備える化学発光ラベルを備え、
前記化学発光ラベルが、前記商品包装容器に前記接着層を介して貼り付けられており、
前記第２の複数の領域の少なくとも１つに圧力を印加することにより、前記第１の複数の領域の少なくとも１つにおいて、少なくとも１つの色を含むイルミネーションが形成される、
商品包装容器。
【請求項７】
複数の化学発光材料粒子と、
活性材料とをさらに備え、
前記圧力の印加により、前記活性材料が、前記複数の化学発光粒子の少なくとも１つと反応して、前記イルミネーションを形成する、請求項６に記載の商品包装容器。
【請求項８】
化学発光ラベルを備える商品包装容器であって、
前記化学発光ラベルが、
外層であって、前記外層が、第１の複数の領域によるイメージを含む外層と、
前記外層に近接して配置されている接着層であって、前記接着層が、前記外層に近接していない側に接着材料を含む、接着層と、
前記外層と前記接着層との間に少なくとも１つの空洞と、
少なくとも１つの空洞内に配置されており、複数種類の圧力値において壊れるように構成されている複数のマイクロカプセルとを備え、
前記化学発光ラベルが、前記商品包装容器に前記接着層を介して貼り付けられており、
前記複数のマイクロカプセルの少なくとも１つに圧力を印加することにより、前記第１の複数の領域の少なくとも１つにおいて、少なくとも１つの色を含むイルミネーションが形成される、
商品包装容器。
【請求項９】
化学発光ラベルを製造する方法であって、
外層であって、前記外層が、第１の複数の領域によるイメージを含む外層を作製することと、
複数種類の圧力値において壊れるように構成されている接着層作製することであって、前記接着層が、前記外層に近接していない側に接着材料を含む、接着層を作製することと、
前記接着層の側面に活性材料を分散させることと、
前記接着層の側面に複数の化学発光材料粒子を分散させることと、
前記外層と前記接着層とを結合させて、前記外層と前記接着層との間に少なくとも１つの空洞を備え、前記接着材料が前記少なくとも１つの空洞に近接していない側にある化学発光ラベルを形成することとを含む、
方法。
【請求項１０】
化学発光商品容器を製造する方法であって、
外層を作製することであって、前記外層が、第１の複数の領域によるイメージを含む、外層を作製すること、
複数種類の圧力値において壊れるように構成されている接着層作製することであって、前記接着層が、前記外層に近接していない側に接着材料を含む、接着層を作製すること、
前記接着層の側面に活性材料を分散させること、
前記接着層の側面に複数の化学発光材料粒子を分散させること、および
前記外層と前記接着層とを結合させて、前記外層と前記接着層との間に少なくとも１つの空洞を備え、前記接着材料が前記少なくとも１つの空洞に近接していない側にある化学発光ラベルを形成すること
により、化学発光ラベルを作製することと、
前記化学発光ラベルを、商品容器に前記接着層を介して貼り付けることとを含む、
方法。
【発明の詳細な説明】
【背景技術】
【０００１】
消費者商品、例えば、飲料を、魅力的で、面白い方法で競合品の中から区別することは、その商品の販売および消費を増大させる。消費者商品の製造中に、商品および／または商品容器の味、匂いおよび見た目のアピールは、商品の経済活力を維持しながら、ターゲットとする市場にアピールするのを最適化することができる。商品は、多くの場合、積極的にスタイリッシュな容器に導入されるが、一度最適化されると、このようなアピールは方向付けられ、属性、特に、ビジュアル属性は静的なままである。結果として、消費者は、商品の見た目のアピールにすぐに慣れてしまう恐れがある。
【０００２】
珍しいおよび／もしくは魅力的な方法での、動的および／もしくはユーザ対話型の包装または商品容器のイルミネーションは、より高い販売転換を生じる注目を増大させ得る。同様に、このような相互作用に対する応答において、容器または包装の彩色を変化させることは、さらに、消費者の興味を増大させるであろう。
【０００３】
感圧化学発光は、飲料容器用のイルミネーション効果を提供することが知られている。このような容器は、物理的に分離されている化学物質が互いに導入されて、イルミネーション化学発光効果を含む反応を生じた場合、イルミネーションを形成する。ただし、現在の商品容器または包装は、化学発光化合物と活性化合物とを分離する２つの別々のチャンバを含む。この場合、チャンバ間の分離は、圧力が印加されると壊れ、イルミネーションを生じる。さらに、これらの従来技術の方法は、１色のイルミネーションに限られ、１回の圧力印加より多くのユーザ相互作用を提供しない。さらに、ユーザ対話型の商品包装は、大量生産、マーケティングに適しており、耐久性があり、経済的である必要がある。例えば、専用の商品容器よりむしろ任意の商品容器での使用に適用可能な化学発光ラベルを製造するのが望ましい。
【発明の概要】
【発明が解決しようとする課題】
【０００４】
したがって、容器に入れて販売される商品のアピールを消費者に高める手段および／またはデバイス、ならびに、簡易で、費用対効果のある、消費者と商品との間に相互作用を包含する手段および／またはデバイスが望ましい。本開示には、ユーザ対話型の化学発光商品包装およびそれを製造する方法が開示されている。
【課題を解決するための手段】
【０００５】
本開示の一態様では、商品包装ラベルは、外層と、外層に近接して配置されている接着層と、外層と接着層との間に少なくとも１つの空洞とを備え得る。外層は、第１の複数の領域によるイメージを含み得る。接着層は、外層に近接していない側に接着材料と、第１の複数の領域に対応し、複数種類の圧力値において壊れるように構成されている第２の複数の領域とを備え得る。第２の複数の領域の少なくとも１つに圧力を印加することにより、第１の複数の領域の少なくとも１つにおいて、少なくとも１つの色を含むイルミネーションが形成される。
【０００６】
実施形態において、商品包装ラベルは、複数の化学発光材料粒子と、活性材料とを含むこともできる。そして、圧力の印加により、活性材料が複数の化学発光粒子の少なくとも１つと反応して、イルミネーションを形成する。実施形態において、複数の化学発光材料粒子は、少なくとも１つの色を含むイルミネーションを形成する、少なくとも１つの染料を含み得る。
【０００７】
実施形態において、複数の化学発光材料粒子は、少なくとも１つの空洞に配置されていることができ、活性材料は、接着層の接着材料を含む側に配置されていることができる。少なくとも１つの実施形態において、複数の化学発光材料粒子は、複数種類の色の化学発光を生じさせる複数の染料も含み得る。追加的におよび／または任意に、複数の化学発光材料粒子は、第２の複数の領域に対応する少なくとも１つの空洞に配置されていることができる。これにより、複数種類の色の化学発光はそれぞれ、第１の複数の領域において、複数種類の圧力値のそれぞれで生じる。
【０００８】
追加的におよび／または任意に、複数の化学発光材料粒子は、接着層の接着材料を含む側に配置されていることができ、活性材料は、少なくとも１つの空洞に配置されていることができる。実施形態において、複数の化学発光材料粒子は、複数種類の色の化学発光を生じさせる複数の染料を含むこともでき、複数の化学発光材料粒子は、第２の複数の領域に対応する少なくとも１つの空洞内に配置されていることができる。これにより、複数種類の色の化学発光はそれぞれ、第１の複数の領域において、複数種類の圧力値のそれぞれで生じる。
【０００９】
本開示の別の態様では、商品包装ラベルは、外層と、外層に近接して配置されている接着層と、外層と接着層との間に少なくとも１つの空洞とを備え得る。外層は、第１の複数の領域によるイメージを含み得る。接着層は、外層に近接していない側に接着材料を含み得る。商品包装ラベルは、少なくとも１つの空洞内に配置されており、複数種類の圧力値において壊れるように構成されている複数のマイクロカプセルも含み得る。これにより、複数のマイクロカプセルの少なくとも１つに圧力を印加することにより、第１の複数の領域の少なくとも１つにおいて、少なくとも１つの色を含むイルミネーションが形成される。一部の実施形態では、接着層は、複数種類の圧力値において壊れる複数の領域も含み得る。
【００１０】
実施形態において、商品包装ラベルは、複数のマイクロカプセル内に配置されている複数の化学発光材料粒子と、接着層に配置されている活性材料とを含むこともできる。圧力の印加により、活性材料が、複数の化学発光粒子の少なくとも１つと反応して、イルミネーションを形成する。実施形態において、複数のマイクロカプセルは、複数種類の色の化学発光を生じさせることができ、複数のマイクロカプセルは、第１の複数の領域に対応する少なくとも１つの空洞内に配置されていることができる。これにより、複数種類の色の化学発光はそれぞれ、第１の複数の領域において、複数種類の圧力値のそれぞれで生じ得る。少なくとも１つの実施形態では、複数の化学発光材料粒子は、少なくとも１つの色を含むイルミネーションを形成する少なくとも１つの染料を含み得る。
【００１１】
追加的におよび／または代替的に、商品包装ラベルは、複数のマイクロカプセル内に配置されている複数の化学発光材料粒子と、少なくとも１つの空洞内に配置されている活性材料とを含み得る。圧力の印加により、活性材料が、複数の化学発光粒子の少なくとも１つと反応して、イルミネーションを形成し得る。実施形態において、複数のマイクロカプセルは、複数種類の色の化学発光を生じさせることができ、複数のマイクロカプセルは、第１の複数の領域に対応する少なくとも１つの空洞内に配置されていることができる。これにより、複数種類の色の化学発光はそれぞれ、第１の複数の領域において、複数種類の圧力値のそれぞれで生じ得る。
【００１２】
別の態様では、商品包装容器は、接着層を介して、商品包装容器に貼り付けられている本開示の化学発光ラベルを備え得る。
【００１３】
さらに別の態様では、化学発光ラベルを製造する方法は、外層を作製することと、複数種類の圧力値において壊れるように構成されている接着層を作製することと、接着層の側面に活性材料を分散させることと、接着層の側面に複数の化学発光材料粒子を分散させることと、外層と接着層とを結合させて、接着材料が少なくとも１つの空洞に近接していない側にあるように、外層と接着層との間に少なくとも１つの空洞を備える化学発光ラベルを形成することとを含み得る。外層は、第１の複数の領域によるイメージを含み得る。接着層は、外層に近接していない側に接着材料を含み得る。
【００１４】
実施形態において、外層を作製することは、さらに、下記：商品、顧客基盤または複数のユーザ対話型機構の少なくとも１つに基づいて、第１の複数の領域をカスタマイズすることを含み得る。
【００１５】
別の実施形態では、接着層を作製することは、第１の複数の領域に対応し、複数種類の圧力値において壊れるように構成されている第２の複数の領域を作製することを含み得る。一部の実施形態では、方法は、活性材料を複数の化学発光粒子の少なくとも１つと反応させ得る第２の複数の領域の少なくとも１つに圧力を印加することにより、第１の複数の領域の少なくとも１つにおいて、少なくとも１つの色を含むイルミネーションを形成させることも含み得る。
【００１６】
別の態様では、化学発光商品容器を製造する方法は、外層を作製すること、複数種類の圧力値において壊れるように構成されている接着層を作製すること、接着層の側面に活性材料を分散させること、接着層の側面に複数の化学発光材料粒子を分散させること、および、外層と接着層とを結合させて、接着材料が少なくとも１つの空洞に近接していない側にあるように、外層と接着層との間に少なくとも１つの空洞を備える化学発光ラベルを形成することにより化学発光ラベルを作製することを含み得る。外層は、第１の複数の領域によるイメージを含み得る。接着層は、外層に近接していない側に接着材料を含み得る。方法は、化学発光ラベルを商品容器に、接着層を介して貼り付けることも含み得る。
【図面の簡単な説明】
【００１７】
【図１Ａ】図１Ａは、実施形態に基づく化学発光ラベルの例の断面図を例示する。
【図１Ｂ】図１Ｂは、実施形態に基づく図１の化学発光ラベルの上面図を例示する。
【図２Ａ】図２Ａは、飲料容器に貼り付けられている本開示の化学発光ラベルを示す。
【図２Ｂ】図２Ｂは、ユーザとの対話に応答する、化学発光ラベルのイルミネーションを例示する。
【図３】図３は、実施形態に基づく化学発光ラベルを製造する方法例のフローチャートを例示する。
【発明を実施するための形態】
【００１８】
本開示は、記載されている特定のシステム、方法論またはプロトコルに限定されず、これらは変化し得る。この説明に使用される専門用語は、特定の変形例または実施形態を説明する目的のみであり、本範囲を限定することを意図していない。
【００１９】
本明細書で使用する場合、単数形の「ａ」、「ａｎ」および「ｔｈｅ」を伴う単数形の任意の用語は、特に断らない限り、複数の指示対象を含む。特に断らない限り、本明細書において使用される全ての技術的および科学的用語は、当業者に一般的に理解されているのと同じ意味を有する。本明細書において、本明細書に記載されている実施形態が、先行発明によるこのような開示の日前である資格がないと認めると解釈されるべきでない。本明細書で使用する場合、「含む」の用語は、「含むがこれに限定されない」を意味する。
【００２０】
「脆い材料」の用語は、圧力が印加されると壊れる材料を意味する。「脆さ」は、脆い材料を壊すのに必要とされる圧力の程度に対応する。
【００２１】
化学組成
典型的な化学発光反応は、化学発光化合物（「発光剤」）、蛍光染料（「染料」）、過酸化物および溶媒を含む混合物中で生じる。典型的には、発光剤および過酸化物は、計画したイルミネーションまで分離されている。イルミネーションを開始するために、全ての反応物質を混合させる。最少の開始材料は、溶媒、発光剤（典型的には、シュウ酸塩）、染料および過酸化物の供給源を含む。
【００２２】
化学発光反応のための溶媒系は十分確立されており、典型的には、ジアルキルフタレート（例えば、ジメチルフタレート、ジブチルフタレートまたはジオクチルフタレート）と、アルキルアルコール（例えば、ｔ−ブチルアルコール）との混合物である。溶媒は、染料、シュウ酸塩および過酸化物の供給源を、少なくとも部分的に溶解する必要がある。
【００２３】
この反応に使用され得るシュウ酸塩としては、例えば、ビス（２，６−ジクロロ−４−ニトロフェニル）オキサレート、ビス（２−アルコキシカルボニル−３，４，６−トリクロロフェニル）オキサレート、ビス（２，４，６−トリクロロフェニル）オキサレート、ビス（３−トリフルオロメチル  ４−ニトロフェニル）オキサレート、ビス（２−メチル−４，６−ジニトロフェニル）オキサレート、ビス（１，２−ジメチル−４，６−ジニトロフェニル）オキサレート、ビス（２，４−ジクロロフェニル）オキサレート、ビス（２，５−ジニトロフェニル）オキサレート、ビス（２−ホルミル−４−ニトロフェニル）オキサレート、ビス（ペンタクロロフェニル）オキサレート、ビス（１，２−ジヒドロ−２−オキソ−１−ピリジル）グリオキサール、ビス−Ｎ−フタルイミジルオキサレート、ビス（２，４，５−トリクロロ−６−ペントキシカルボニルフェニル）オキサレート、ビス（２，４，５−トリクロロ−６−ブトキシカルボニルフェニル）オキサレート、ビス（２，４，６−トリクロロフェニル）オキサレート、ビス（２，４，５−トリクロロ−６−ペントキシカルボニルフェニル）オキサレート、ビス（２，４，５−トリクロロ−６−ブトキシカルボニルフェニル）オキサレートおよびビス（２，４，６−トリクロロフェニル）オキサレート、ビス（３−アルコキシカルボニル−２，４，６−トリクロロフェニル）オキサレート、ビス（４−アルコキシカルボニル−２，３，６−トリクロロフェニル）オキサレート、ビス（３，５−ジアルコキシカルボニル−２，４，６−トリクロロフェニルオキサレート、ビス（２，３−ジアルコキシカルボニル−４，５，６−トリクロロフェニル）オキサレート、ビス（２，４−ジアルコキシカルボニル−３，５，６−トリクロロフェニル）オキサレート、ビス（２，５−ジアルコキシカルボニル−３，４，６−トリクロロフェニル）オキサレート、ビス（２，６−ジアルコキシカルボニル−３，４，５−トリクロロフェニル）オキサレート、ビス（３−アルコキシカルボニル−２，４，５，６−テトラクロロフェニル）オキサレート、ビス（２−アルコキシカルボニル−３，４，５，６−テトラクロロフェニル）オキサレート、ビス（４−アルコキシカルボニル−２，３，５，６−テトラクロロフェニル）オキサレート、ビス（６−アルコキシカルボニル−２，３，４−トリクロロフェニル）オキサレート、ビス（２，３−ジアルコキシカルボニル−４，６−ジクロロフェニル）オキサレート、ビス（３，６−ジアルコキシカルボニル−２，４−ジクロロフェニル）オキサレート、ビス（２，３，５−トリアルコキシカルボニル−４，６−ジクロロフェニル）オキサレート、ビス（３，４，５−トリアルコキシカルボニル−２，６−ジクロロフェニル）オキサレート、ビス（２，４，６−トリアルコキシカルボニル−３，５−ジクロロフェニル）オキサレート、ビス（３−ブロモ−６−ヘキソキシカルボニル−２，４，５−トリクロロフェニル）オキサレート、ビス（ビス（３−ブロモ−２−エトキシカルボニル−４，６−ジクロロフェニル）オキサレート、ビス（２−エトキシカルボニル  ４，６−ジクロロ−３−ニトロフェニル）オキサレート、ビス｛２−メトキシカルボニ��−４，６−ジクロロ−３−（トリフルオロメチル）フェニル｝オキサレート、ビス（２−ブトキシカルボニル−４，６−ジクロロ−３−シアノフェニル）オキサレート、ビス（２−オクチルオキシカルボニル−４，５，６−トリクロロ−３−エトキシフェニル）オキサレート、ビス（２−ブトキシカルボニル−３，４，６−トリクロロ−５−エトキシフェニル）オキサレート、ビス（２−イソプロポキシカルボニル−３，４，６−トリクロロ−５−メチルフェニル）オキサレート、ビス（２−イソプロポキシカルボニル−４，６−ジクロロ−５−オクチルフェニル）オキサレート、ビス［２−メトキシカルボニル−３，５，６−トリクロロ−４−（１，１，３，３−テトラメチルブチル）−フェニル］オキサレート、ビス｛２−［ビス（トリフルオロメチル）メトキシカルボニル］−３，４，５，６−テトラフルオロフェニル｝オキサレート、ビス（３，４，６−トリブロモ−２−シクロヘキソキシカルボニルフェニル）オキサレート、ビス（２，４，５−トリブロモ−６−フェノキシカルボニル−３−ヘキサデシルフェニル）オキサレート、ビス（２，４，５−トリクロロ−６−ブトキシカルボニルフェニル）オキサレートおよびビス（２，４，５−トリクロロ−６−ペントキシカルボニルフェニル）オキサレートがあげられる。他の公知のシュウ酸塩が、本開示の範囲内である。
【００２４】
染料は、化学発光中に発光波長を変化させて、種々の色の光を生じさせることができる。多くの染料が使用されることができ、それぞれが異なる色のイルミネーションを生じさせる。例としては、制限されず、クマリン、例えば、ウンベリフェロン；キサンテン、例えば、フルオロレセンおよびローダミン（ローダミン６Ｇはオレンジ色光を生じさせ、ローダミンＢは赤色光を生じさせる。）；スクアレート；置換されているアントラセン、例えば、９，１０−ビス−（フェニルエチニル）アントラセン（青色光）、１−メチル−９，１０−ビス−（フェニルエチニル）アントラセン（緑色光）、１−クロロ−９，１０−ビス−（フェニルエチニル）アントラセン、９，１０−ビス（４−メトキシフェニル）−２−クロロアントラセンおよび９，１０−ビス−（４−エトキシフェニル）−２−クロロアントラセン、１６，１７−ジデシクロキシビオラントロン、ＬＵＭＯＧＥＮ  ＲＥＤ（商標）（赤色発光するペリレンジカルボキシイミド蛍光体）、ＬＵＭＯＧＥＮ  ＹＥＬＬＯＷ（商標）（黄色発光するペリレンジカルボキシイミド蛍光体）、ＬＵＭＯＧＥＮ  ＯＲＡＮＧＥ（商標）（オレンジ色発光するペリレンジカルボキシイミド蛍光体）、ＬＵＭＩＮＯＬ（青色発光する５−アミノ−２，３−ジヒドロ−１，４−フタラジンジオン）５，１２−ビス−（フェニルエチニル）ナフタセン、５，１６，１１，１２−テトラフェニルナフタセンならびにそれらの組み合わせをあげることができる。
【００２５】
一般的な過酸化水素の一般的な分類は、式Ｒ（ＯＯＨ）ｚで表現され得る。式中、Ｒは、一般的には、約１８個以下の炭素原子を含む炭化水素基であり、ｚは、１、２または３である。一実施形態では、ｚは、１であり、Ｒは、約３〜約１２個の炭素原子を含むアルキル、アリールまたはアラリルの炭化水素基である。ペルエステルの例としては、ｔ−ブチルペルアセテート、ｔ−ブチルペルオキシイソブチレート；ジ−ｔ−ブチルジペルフタレート、ｔ−ブチルペルベンゾエート、２，５−ジメチル−２，５−ビス（ベンゾイルペルオキシ）ヘキサン、ｔ−ブチルペルオキシマレイン酸およびそれらの組み合わせがあげられる。
【００２６】
種々の反応物質の適切な量を用いて、イルミネーションの持続期間、色および強度を調節することができる。過酸化物成分は、この反応の活性剤として作用し、潜在型でもよい。この場合、接触に基づいて活性な酸化剤にそれを変化させる遷移金属を必要とする場合がある。所望のイルミネーション前に、過酸化物は、残った反応物質から分離される。
【００２７】
ここから図１Ａおよび図１Ｂを参照して、本開示の化学発光ラベルは、フレキシブルラベル１００を備え得る。同ラベル１００は、三次元に折りたたまれて、種々の形状を形成し得る。実施形態において、ラベルは、透明または半透明材料から形成されている上層１０１を備え得る。上層材料の例としては、制限されず、ポリマー、例えば、ポリエチレン、ポリプロピレン、マイラ、他のＰＥＴ材料、ポリカーボネート、シリカ微粒子等をあげることができる。特定の実施形態では、上層材料は透明であり得る。代替的におよび／または追加的に、表面の不規則性は、発光を拡散させて、「ツヤ消し効果」を生じさせるのに使用され得る。さらに別の実施形態では、上層の視覚的効果は、反射構造および／または幾何学的パターン、例えば、フレネルレンズ効果、プリズム構造等を成形またはエッチングすることにより改善され得る。
【００２８】
ラベルは、非透過性の底層１０２も含み得る。これにより、上層１０１および非透過性の底層１０２は、２つの層間に配置されている空洞１０３を形成し得る。底層材料の例としては、制限されず、（上記）ポリマーフィルム、非反応性または不動態化金属ホイル等をあげることができる。特定の実施形態では、底層材料は、ラベルの上面に達する生じた光の分率を最大化するように反射性でもよい。さらに別の実施形態では、底層の視覚的効果は、反射構造および／または幾何学的パターン、例えば、フレネルレンズ効果、プリズム構造等を成形またはエッチングすることにより改善され得る。２つの層を結合またはシールするために、当該分野において公知の技術が使用され得る。同技術としては、溶接、はんだ付け、ヒートシール、接着剤、真空シール等があげられる。底層は、以下に説明されているように、種々の領域１０２（ａ）、１０２（ｂ）、１０２（ｃ）等を備え得る。
【００２９】
実施形態において、上層１０１は、顧客に対する商品アピールを向上させ得る複数のイメージ（ここでは図示せず）を含み得る。特定の実施形態では、複数のイメージは、種々の色を含み得る。本開示の原理から逸脱することなく、複数のイメージは、ターゲットとなる商品および／または顧客に対してカスタマイズされ得ることが、当業者に理解されるであろう。一部の実施形態では、上層は、ユーザ対話型の化学発光ラベルを形成するための、ユーザに対する指示も含んでもよい。例えば、指示としては、制限されず、ラベルおよびその特性、ユーザ対話型の特性、例えば、ラベル上の特定の位置を押すことをユーザに指示する矢印または他のポインター、（以下に検討されているように）ラベルの化学発光特性を使用するゲームまたはパズルの説明をあげることができる。
【００３０】
特定の実施形態では、底層１０２は、圧力が印加されると壊れ得るように脆くてもよい。脆い底層材料の例としては、制限されず、ポリマーフィルム、金属化ポリマーフィルム（例えば、マイラ、ポリエチレン等）、金属ホイル、セラミックフィルム、ガラス等をあげることができる。一実施形態では、底層１０２は、上層１０１に対して遠位側に接着材料１０４も含み得る。接着剤の例としては、制限されず、合成ゴム系接着剤、天然ゴム系接着剤、ビニルエーテル接着剤、アクリレート接着剤、メタクリレート接着剤、ウレタン接着剤、エポキシ系接着剤、シリコーン接着剤およびそれらの混合物をあげることができる。アクリレート接着剤は、例えば、グリセロール誘導体に基づく三官能性アクリレートモノマーでもよい。
【００３１】
本開示の一態様では、接着材料１０４は、化学発光化合物を含んでもよいし、染料化合物も含んでもよい。化学発光化合物および／または染料化合物は、底層１０２にコーティングする前に、接着化合物中に混合され得る。追加的におよび／または任意に、化学発光化合物および／または染料化合物は、底層１０２への接着剤の塗工後に、コーティングされてもよい。
【００３２】
実施形態において、空洞１０３は、過酸化物の供給源を、乾燥状態または適切な溶媒中に溶解された状態で含み得る。実施形態において、脆い底層１０２は、適切な圧力が印加されると壊れ、過酸化物活性剤と化学発光化合物および／または染料化合物との接触をもたらし、イルミネーションを生じ得る。一部の実施形態では、脆い底層は、異なる脆さの種々の領域（１０２（ａ）、１０２（ｂ）、１０２（ｃ）等）を備え得る。これにより、異なる脆さの領域は、種々の圧力において壊れ得る。実施形態において、異なる厚みの同じ脆さの材料が、異なる脆さの種々の領域を形成するために結合させ得る。代替的におよび／または追加的に、異なる脆さの種々の材料が、異なる脆さの種々の領域を形成するのに結合され得る。異なる脆さの種々の領域は、当業者に公知の技術、例えば、接着剤、ホスト材料から形成されたスロットへの嵌め込み等を使用して結合され得る。
【００３３】
実施形態において、異なる脆さの領域は、種々の色の染料および／または種々の量の化学発光化合物および染料によりコーティングされ得る。これにより、種々の圧力印加により、種々の色および／または強度のイルミネーションを生じ得る。さらに、異なる脆さの領域は、上層１０１のイメージおよび／またはユーザ対話型機構に対応するように、分布または包含され得る。実施形態において、異なる脆さおよび／または同じ脆さの２つの異なる領域に２種類の染料が存在することが、種々の色を有するデバイスの外表面に、２つのスポットとして表れ得る。例えば、第１の脆さ値を有する領域１０２（ａ）は、第１の圧力値において壊れて、赤色の化学発光を生じさせてもよく、第２の脆さ値を有する領域１０２（ｂ）は、（第１の圧力値とは異なる）第２の圧力値において壊れて、青色の化学発光を生じさせてもよい。同様に、異なる脆さおよび／または同じ脆さの２つの異なる領域における反応物質の濃度間の差異が、異なる明るさの２つのスポットとして表れ得る。
【００３４】
代替的におよび／または追加的に、実施形態において、種々の領域１０２（ａ）、１０２（ｂ）、１０２（ｃ）等は、同じ脆さ値を有してもよい。種々の領域は、種々の色の染料および／または種々の量の化学発光化合物および染料によりコーティングされ得る。これにより、単一の圧力値の印加により、種々の色および／または強度のイルミネーションを有する領域を生じ得る。
【００３５】
本開示の第２の態様では、接着材料１０４は、過酸化化合物を含み得る。過酸化化合物は、底層１０２にコーティングする前に、接着剤化合物中に混合されてもよい。追加的におよび／または任意に、過酸化化合物は、底層１０２に接着剤を塗工した後にコーティングされてもよい。実施形態において、過酸化化合物は、潜在型でもよく、活性剤である遷移金属は、底層１０２の空洞側に配置されていてもよい。
【００３６】
実施形態において、空洞１０３は、底層１０２および／または上層１０１の空洞側にコーティングされた乾燥状態において、化学発光化合物および／または染料化合物を含み得る。上記されているように、脆い底層１０２は、適切な圧力が印加されると壊れ、過酸化物活性剤と化学発光化合物および／または染料化合物との接触をもたらし、イルミネーションを生じ得る。一部の実施形態では、脆い底層は、異なる脆さの種々の領域（１０２（ａ）、１０２（ｂ）、１０２（ｃ）等）を備え得る。これにより、異なる脆さの領域は、種々の圧力において壊れ得る。実施形態において、異なる脆さの領域は、種々の色の染料および／または種々の量の化学発光化合物および染料によりコーティングされ得る。これにより、種々の圧力印加により、種々の色および／または強度のイルミネーションを生じ得る。さらに、異なる脆さの領域は、上層１０１のイメージおよび／またはユーザ対話型機構に対応するように、分布または包含され得る。実施形態において、異なる脆さおよび／または同じ脆さの２つの異なる領域に２種類の染料が存在することが、種々の色を有するデバイスの外表面上の２つのスポットとして表れ得る。例えば、第１の脆さ値を有する領域１０２（ａ）は、第１の圧力値において壊れて、赤色の化学発光を生じることができ、第２の脆さ値を有する領域１０２（ｂ）は、（第１の圧力値とは異なる）第２の圧力値において壊れて、青色の化学発光を生じることができる。同様に、異なる脆さおよび／または同じ脆さの２つの異なる領域における反応物質の濃度間の差異が、種々の明るさの２つのスポットとして表れ得る。
【００３７】
代替的におよび／または追加的に、実施形態において、種々の領域１０２（ａ）、１０２（ｂ）、１０２（ｃ）等は、同じ脆さ値を有してもよい。種々の領域は、種々の色の染料および／または種々の量の化学発光化合物および染料でコーティングされていてもよい。これにより、単一の圧力値の印加により、種々の色および／または強度のイルミネーションを有する領域を生じ得る。
【００３８】
本開示のさらに別の態様では、接着材料１０４は、（上記されている）過酸化化合物を含み得る。空洞１０３は、当該分野において公知の技術を使用して、適切な溶媒中でマイクロカプセル化されている化学発光化合物および／または染料化合物を含み得る。マイクロカプセル数は、所望の強度のイルミネーションを生じさせるのに必要とされる反応物質の量に応じて変動し得る。マイクロカプセルは、バブル、アンプル、中空のグレーンの形状を有することができ、薄いガラス、ポリマー、ポリマーと積層された金属ホイルまたは、デバイスの内部環境において不活性で、不溶性である他の材料を含むことができる。実施形態において、マイクロカプセルのサイズは、約０．２μｍ〜約１０，０００μｍであり得る。
【００３９】
実施形態において、マイクロカプセルの脆さは、種々の量および色の化学発光化合物および／または染料化合物が種々の圧力において（マイクロカプセルを破裂させることにより）空洞１０３内に放出され得るように変動され得る。マイクロカプセルの脆さは、底層がマイクロカプセルの破裂に関連して壊れるのを確保するために、少なくとも底層１０２の脆さ以下であるように選択され得る。上記されているように、脆い底層１０２は、適切な圧力が印加されると壊れ、（接着剤からの）過酸化物活性剤と（マイクロカプセルからの）化学発光化合物および／または染料化合物との接触をもたらし、イルミネーションを生じ得る。
【００４０】
実施形態において、異なる脆さのマイクロカプセルは、種々の色の染料を含み得る。これにより、種々の圧力の印加により、種々の色を生じ得る。さらに、各異なる脆さ値のマイクロカプセル数は、イルミネーション強度を変化させるのに変動され得る。例えば、第１の脆さ値を有する底層の領域１０２（ａ）に分散しているマイクロカプセルは、赤色の染料を含むことができ、第２の脆さ値を有する底層の領域１０２（ｂ）に分散しているマイクロカプセルは、青色の染料を含むことができ、第３の脆さ値を有する底層の領域１０２（ｃ）に分散しているマイクロカプセルは、黄色の染料を含むことができる。これにより、第１の圧力値の印加により、赤色の化学発光を生じることができ、第２の圧力値の印加により、青色の化学発光を生じることができ、第３の圧力値の印加により、黄色の化学発光を生じることができる。
【００４１】
特定の他の実施形態では、種々の領域に分散しているマイクロカプセルは、種々の圧力値において種々の強度のイルミネーションを生じさせるために、種々の量の同じ色および／または異なる色の化学発光化合物および／または染料化合物を含み得る。さらに別の実施形態では、種々の領域に分散しているマイクロカプセル数は、種々の圧力値において種々の強度のイルミネーションを生じさせるために変動され得る。例えば、底層の領域１０２（ａ）中のマイクロカプセル数は、底層の領域１０２（ｂ）中のマイクロカプセル数とは異なる場合がある。
【００４２】
代替的におよび／または追加的に、実施形態において、種々の領域１０２（ａ）、１０２（ｂ）、１０２（ｃ）等は、同じ脆さ値を有してもよい。種々の色の染料および／または種々の量の化学発光化合物および染料を含むマイクロカプセルは、底層上に分散されていてもよい。これにより、単一の圧力値の印加により、種々の色および／または強度のイルミネーションを有する領域を生じ得る。
【００４３】
実施形態において、異なる脆さのマイクロカプセルが、上層１０１のイメージおよび／またはユーザ対話型機構に対応する空洞１０３に分布または包含され得る。
【００４４】
別の態様では、本開示の化学発光ラベルにおいて、空洞１０３は、適切な溶媒中でマイクロカプセル化された化学発光化合物および／または染料化合物と、過酸化化合物とを含み得る。適切な圧力が印加されると、マイクロカプセルは壊れて、過酸化物活性剤と（マイクロカプセルからの）化学発光化合物および／または染料化合物との接触をもたらし、化学発光を生じ得る。
【００４５】
実施形態において、マイクロカプセルの脆さは、種々の量および色の化学発光化合物および／または染料化合物が種々の圧力において（マイクロカプセルを破裂させることにより）空洞１０３内に放出され得るように変動され得る。
【００４６】
実施形態において、異なる脆さのマイクロカプセルは、種々の色の染料を含み得る。これにより、種々の圧力の印加により、種々の色を生じ得る。さらに、各異なる脆さ値のマイクロカプセル数は、イルミネーション強度を変化させるのに変動され得る。例えば、第１の脆さ値を有する底層の領域１０２（ａ）に分散しているマイクロカプセルは、赤色の染料を含むことができ、第２の脆さ値を有する底層の領域１０２（ｂ）に分散しているマイクロカプセルは、青色の染料を含むことができ、第３の脆さ値を有する底層の領域１０２（ｃ）に分散しているマイクロカプセルは、黄色の染料を含むことができる。これにより、第１の圧力値の印加により、赤色の化学発光を生じることができ、第２の圧力値の印加により、青色の化学発光を生じることができ、第３の圧力値の印加により、黄色の化学発光を生じることができる。
【００４７】
特定の他の実施形態では、種々の領域に分散しているマイクロカプセルは、種々の圧力値において種々の強度のイルミネーションを生じさせるために、種々の量の同じ色および／または異なる色の化学発光化合物および／または染料化合物を含み得る。さらに別の実施形態では、種々の領域に分散しているマイクロカプセル数は、種々の圧力値において種々の強度のイルミネーションを生じさせるために変動され得る。例えば、底層の領域１０２（ａ）中のマイクロカプセル数は、底層の領域１０２（ｂ）中のマイクロカプセル数とは異なる場合がある。
【００４８】
マイクロカプセルは全て、同じ脆さ値を有してもよく、種々の色の染料および／または種々の量の化学発光化合物および染料を含んでもよい。これにより、単一の圧力値の印加により、種々の色および／または強度のイルミネーションを有する領域を生じ得る。
【００４９】
実施形態において、異なる脆さのマイクロカプセルが、上層１０１のイメージおよび／またはユーザ対話型特性に対応する空洞１０３に分布または包含され得る。
【００５０】
図２Ａは、上層が外側にあるように、容器２０１に接着材料１０４を介して貼り付けられている本開示の化学発光ラベル１００を例示している。図２Ｂは、適切な圧力が印加された、化学発光ラベル１００のイルミネーション２０２を例示している。
【００５１】
図３は、上記されている化学発光ラベルを製造する方法のフローチャート例を例示している。工程３０１において、非透過性の底層を作製し得る。特定の実施形態では、底層は、異なる脆さ値の種々の領域を備え得る。工程３０２において、上層が複数のイメージおよび／またはユーザ対話型機構を含むように、透明または半透明な上層を作製し得る。接着材料を、底層の側面に塗工し得る工程３０３。実施形態において、過酸化（活性剤）化合物を、底層の側面に分散させ得る工程３０４。工程３０５において、少なくとも１つの化学発光化合物および／または少なくとも１つの染料化合物を、過酸化化合物を含まない底層の側面に分散させ得る。特定の実施形態では、化学発光化合物および／または少なくとも１つの染料化合物を、底層上に分散させる前にマイクロカプセル化し得る。実施形態において、マイクロカプセルを、過酸化化合物を含むが、接着材料を含まない底層の側面に分散させ得る。工程３０６において、化学発光ラベルを、接着材料が空洞の外側にあるように、上層と底層とを結合させて、空洞を形成することにより作製し得る。実施形態において、工程３０６の化学発光ラベルを、商品容器に接着材料を介して貼り付け得る工程３０７。
【００５２】
上記開示されている機構および機能ならびに代替手段は、多くの他の異なるシステムまたは用途に組み合わせられ得る。種々の現在思いもよらないまたは予期せぬ代替手段、改変、変形例または改善が、当業者によりなされ得る。そのそれぞれは、開示されている実施形態に包含されることも意図している。
【図１Ａ】
2017037293.tif 000003
【図１Ｂ】
2017037293.tif 000004
【図２Ａ】
2017037293.tif 000005
【図２Ｂ】
2017037293.tif 000006
【図３】
2017037293.tif 000007